(57)【要約】【課題】収納棚内に収納されている複数の金庫箱の重量分布及び収納棚の重量バランス情報を表示させることにより、収納棚の重量バランスを良好に保持し、収納棚の立設状態を安定化させるとともにシステム運用の安全性を向上させることが可能な貸金庫システム及び貸金庫管理用プログラムを提供する。【解決手段】貸金庫システム１０において、収納棚１４内に収納されている全ての金庫箱１３の重量を金庫箱１３の収納位置と対応付けた金庫箱１３の２次元マトリクス重量分布、及び、収納棚１４の重量バランスを評価するための重量バランス情報を表示器２４に表示させて、システムの管理者に重量バランスの状況等を認識させる。【選択図】図５
2010159570.tif 000002
【特許請求の範囲】
【請求項１】
金庫室に設置された複数の段（ｍ段）及び複数の列（ｎ列）を有する収納棚に、段数及び列数からなる収納位置情報より収納位置が特定される複数（ｍ×ｎ個）の金庫箱を収納した貸金庫システムであって、
被格納物を格納した前記金庫箱の重量情報及び当該金庫箱の前記収納位置情報に基づき、前記収納棚内の前記金庫箱の重量の偏りを示す重量バランス情報を表示することを特徴とする貸金庫システム。
【請求項２】
各種情報を記憶する記憶部と、
前記被格納物を格納した前記金庫箱の前記重量情報を、当該金庫箱の前記収納位置情報に対応付けて、前記記憶部に記憶する重量情報管理部と、
前記記憶部に記憶された前記金庫箱の前記重量情報及び前記収納位置情報に基づいて、前記収納棚の同一列に収納されている前記金庫箱の総重量を表す列重量を前記収納棚の列毎に算出し、算出した各列の前記列重量を前記重量バランス情報として、前記記憶部に記憶する重量バランス情報算出部と、
前記記憶部に記憶された前記重量バランス情報を表示器に表示させる表示制御部と、
を備えていることを特徴とする請求項１に記載の貸金庫システム。
【請求項３】
更に、前記収納棚に収納された前記金庫箱の利用登録の有無を前記金庫箱の前記収納位置情報に対応付けて前記記憶部に記憶する利用状況管理部を有し、
前記表示制御部は、前記記憶部に記憶された前記金庫箱の前記利用登録の有無及び前記収納位置情報に基づき、前記収納棚の段及び列に対応する行及び列で表された２次元マトリクス上に前記利用登録の有無を視覚的に識別させて前記表示器に表示させるとともに、前記重量バランス情報算出部によって列毎に算出された前記列重量を、前記２次元マトリクスの列に対応させて前記表示器に表示させることを特徴とする請求項２に記載の貸金庫システム。
【請求項４】
前記表示制御部は、所定の重量基準値以上の前記列重量と、前記重量基準値未満の前記列重量とを視覚的に識別させて前記表示器に表示させることを特徴する請求項３に記載の貸金庫システム。
【請求項５】
前記重量バランス情報算出部は、全ての前記列重量の中の最大値を最大列重量としたとき、列毎に、前記列重量と前記最大列重量との差分の絶対値を列重量差分として算出し、
前記表示制御部は、前記収納棚の各列の前記列重量のうち、他の前記列重量より所定の差分基準値以上小さい前記列重量を、前記他の列重量と視覚的に識別させて前記表示器に表示させることを特徴する請求項３または４に記載の貸金庫システム。
【請求項６】
金庫室に設置された複数の段（ｍ段）及び複数の列（ｎ列）を有する収納棚に収納された、段数及び列数からなる収納位置情報より収納位置が特定される複数（ｍ×ｎ個）の金庫箱の重量情報を管理して表示する処理をコンピュータに実行させる貸金庫管理用プログラムであって、
（ａ）被格納物を格納した前記金庫箱の重量情報を取得する処理と、
（ｂ）前記処理（ａ）によって取得した前記金庫箱の前記重量情報を、当該金庫箱の前記収納位置情報に対応付けて記憶部に記憶する処理と、
（ｃ）前記処理（ｂ）によって前記記憶部に記憶された前記金庫箱の前記重量情報及び前記収納位置情報に基づいて、前記収納棚の同一列に収納されている前記金庫箱の総重量を表す列重量を前記収納棚の列毎に算出し、算出した各列の前記列重量を前記記憶部に記憶する処理と、
（ｄ）前記処理（ｃ）によって前記記憶部に記憶された前記収納棚の各列の前記列重量を表示器に表示する処理と、
を備えていることを特徴とする貸金庫管理用プログラム。
【発明の詳細な説明】
【技術分野】
【０００１】
本発明は、貸金庫システム及び貸金庫管理用プログラムに関する。特に、収納棚内に収納されている複数の金庫箱の重量分布及び収納棚の重量バランス情報を表示させることにより、収納棚の重量バランスを良好に保持し、収納棚の立設状態を安定化させるとともにシステム運用の安全性を向上させることが可能な貸金庫システム及び貸金庫管理用プログラムに関する。
【背景技術】
【０００２】
従来、貴重品（被格納物）を格納した金庫箱を防盗・防火性に優れた金庫室に設置された収納棚に収納して保管し、利用者による貴重品の預入及び引出の際に、利用者が貴重品の預入及び引出を行う閲覧室内に設置された閲覧テーブルと金庫室の収納棚との間で金庫箱を搬送する、自動貸金庫システムやその運用方法が提案されている（例えば、特許文献１及び特許文献２を参照）。
【０００３】
例えば、金庫室の収納棚は、省スペースで多数の金庫箱を収納できるように、即ち、複数の段（ｍ段）及び複数の列（ｎ列）で構成された（ｍ×ｎ）個の金庫箱の収納できるようになっており、利用者による貴重品の預入及び引出の際に、利用者情報に対応付けられた金庫箱は、収納されている収納棚の収納位置と閲覧テーブルとの間をスタッカクレーン等の搬送機構によって搬送される。
【０００４】
また、利用者が預け入れる貴重品は、契約書等の重要書類、機密データが記録されたＣＤ，ＤＶＤ等の記録媒体、貴金属や金塊等のように多種多様であり、その重量は収納する貴重品の種類により大きく異なる。そこで、従来の自動貸金庫システムでは、収納棚の耐荷重を考慮して、各金庫箱に収納可能な重量制限を予め設定している。
【先行技術文献】
【特許文献】
【０００５】
【特許文献１】特開２００１−２０６１０号公報
【特許文献２】特開２００３−３０１６６４号公報
【発明の概要】
【発明が解決しようとする課題】
【０００６】
しかしながら、全ての金庫箱の総重量が収納棚の耐荷重を超えていない場合であっても、重量の大きい金庫箱が収納棚の一部分に集中して収納されていると、収納棚の耐久性を低下させてしまうという問題があった。例えば、ある一列に重量の大きい金庫箱を集中させた状態が長期間続いた場合、収納棚のフレームに歪みが生じ、金庫箱の収納棚への収納搬送または金庫箱の収納棚からの取り出し搬送において異常が発生してしまうという問題があった。また、収納棚の上部に重い金庫箱が集中すると、重量バランスが崩れて不安定になり易い。
【０００７】
本発明は、上記問題点を解決するためになされたもので、収納棚内に収納されている複数の金庫箱の重量分布及び収納棚の重量バランス情報を表示させることにより、収納棚の重量バランスを良好に保ち、収納棚の立設状態が安定化するように金庫箱を配置する等のシステム運用を可能とし、貸金庫システムの安全性を向上させることができる貸金庫システム及び貸金庫管理用プログラムを提供することを目的とする。
【課題を解決するための手段】
【０００８】
上述した従来の問題点を解決すべく下記の発明を提供する。
本発明の第１の態様にかかる貸金庫システムは、金庫室に設置された複数の段（ｍ段）及び複数の列（ｎ列）を有する収納棚に、段数及び列数からなる収納位置情報より収納位置が特定される複数（ｍ×ｎ個）の金庫箱を収納した貸金庫システムであって、被格納物を格納した前記金庫箱の重量情報及び当該金庫箱の前記収納位置情報に基づき、前記収納棚内の前記金庫箱の重量の偏りを示す重量バランス情報を表示することを特徴とする。
【０００９】
ここで、収納棚の重量バランスとは、収納棚の立設状態の安定性を保持するための収納棚の段方向及び列方向の重量バランスのことである。また、収納棚の重量の偏りを示す重量バランス情報とは、例えば、収納棚の列毎の総重量、収納棚の段毎の総重量、所定の数の段及び列の区画毎の総重量等であり、収納棚のフレームを歪ませる要因となる重量の偏りを管理者等に客観的に教示させる情報である。また、金庫箱の重量情報は、金庫箱に格納されている格納物の重量であっても、金庫箱自体の重量と金庫箱に格納されている格納物の重量の合計の重量であっても良い。
【００１０】
これにより、利用対象となる新規の金庫箱を管理者が選択するときに、表示された金庫箱の重量分布及び収納棚の重量バランス情報から収納棚の重量バランスを良好に保持できる最適な収納位置にある金庫箱を管理者が選択することができる。また、収納棚内の金庫箱の収納位置の入替え作業時において、収納棚の重量バランスを良好に保持できるような収納位置に金庫箱を入れ替えるように管理者が指示することができる。
【００１１】
従って、収納棚の重量バランスを良好に保持して、収納棚の立設状態を安定化させることができるため、システム運用の安全性を向上させることができる。
【００１２】
本発明の第２の態様にかかる貸金庫システムは、本発明の第１の態様にかかる貸金庫システムにおいて、各種情報を記憶する記憶部と、被格納物を格納した前記金庫箱の前記重量情報を、当該金庫箱の前記収納位置情報に対応付けて、前記記憶部に記憶する重量情報管理部と、前記記憶部に記憶された前記金庫箱の前記重量情報及び前記収納位置情報に基づいて、前記収納棚の同一列に収納されている前記金庫箱の総重量を表す列重量を前記収納棚の列毎に算出し、算出した各列の前記列重量を前記重量バランス情報として、前記記憶部に記憶する重量バランス情報算出部と、前記記憶部に記憶された前記重量バランス情報を外部の表示器に表示させる表示制御部と、を備えていることを特徴とする。
【００１３】
これにより、収納棚内に収納されている全ての金庫箱の重量を金庫箱の収納位置と対応付けた金庫箱の重量分布、及び、収納棚にかかる列毎の重量負荷を表示器に表示させて、システムの管理者に視覚的に認識させることにより、例えば、利用対象となる新規の金庫箱を管理者が選択するときに、表示された金庫箱の重量分布及び収納棚の重量バランス情報から収納棚の重量バランスを良好に保持できる最適な収納位置にある金庫箱を管理者が選択することができる。また、収納棚内の金庫箱の収納位置の入替え作業時において、収納棚の重量バランスを良好に保持できるような収納位置に金庫箱を入れ替えるように管理者が指示することができる。
【００１４】
従って、収納棚の重量バランスを良好に保持して、収納棚の立設状態を安定化させることができるため、システム運用の安全性を向上させることができる。
【００１５】
本発明の第３の態様にかかる貸金庫システムは、本発明の第２の態様にかかる貸金庫システムにおいて、更に、前記収納棚に収納された前記金庫箱の利用登録の有無を前記金庫箱の前記収納位置情報に対応付けて前記記憶部に記憶する利用状況管理部を有し、前記表示制御部は、前記記憶部に記憶された前記金庫箱の前記利用登録の有無及び前記収納位置情報に基づき、前記収納棚の段及び列に対応する行及び列で表された２次元マトリクス上に前記利用登録の有無を視覚的に識別させて前記表示器に表示させるとともに、前記重量バランス情報算出部によって列毎に算出された前記列重量を、前記２次元マトリクスの列に対応させて前記表示器に表示させることを特徴とする。
【００１６】
これにより、収納棚内に収納されている全ての金庫箱の重量を金庫箱の収納位置と対応付けた金庫箱の重量分布、及び、収納棚にかかる列毎の重量負荷を表示器に表示させて、システムの管理者に視覚的に認識させることにより、例えば、利用対象となる新規の金庫箱を管理者が選択するときに、表示された金庫箱の２次元マトリクス重量分布及び収納棚の重量バランス情報から収納棚の重量バランスを良好に保持できる最適な収納位置にある金庫箱を管理者が選択することができる。また、収納棚内の金庫箱の収納位置の入替え作業時において、収納棚の重量バランスを良好に保持できるような収納位置に金庫箱を入れ替えるように管理者が指示することができる。
【００１７】
従って、収納棚の重量バランスを良好に保持して、収納棚の立設状態を安定化させることができるため、システム運用の安全性を向上させることができる。
また、収納棚内の金庫箱の利用状態を管理者に視覚的に認識させることができる。
【００１８】
本発明の第４の態様にかかる貸金庫システムは、本発明の第３の態様にかかる貸金庫システムにおいて、前記表示制御部は、所定の重量基準値以上の前記列重量と、前記重量基準値未満の前記列重量とを視覚的に識別させて前記表示器に表示させることを特徴する。
【００１９】
これにより、収納棚にかかる列毎の重量負荷の大きい列をシステムの管理者に視覚的に認識させて、利用対象となる新規の金庫箱を管理者が選択するときや収納棚内の金庫箱の収納位置の入替え作業時における、管理者の作業の判断情報にさせることができる。
【００２０】
本発明の第５の態様にかかる貸金庫システムは、本発明の第３または４の態様にかかる貸金庫システムにおいて、前記重量バランス情報算出部は、全ての前記列重量の中の最大値を最大列重量としたとき、列毎に、前記列重量と前記最大列重量との差分の絶対値を列重量差分として算出し、前記表示制御部は、前記収納棚の各列の前記列重量の内、他の前記列重量より所定の差分基準値以上小さい前記列重量を、前記他の列重量と視覚的に識別させて前記表示器に表示させることを特徴する。
【００２１】
これにより、収納棚の重量バランスの良し悪し、即ち、収納棚の重量の偏りの有無を管理者に視覚的に認識させて、利用対象となる新規の金庫箱を管理者が選択するときや収納棚内の金庫箱の収納位置の入替え作業時における、管理者の作業の判断情報にさせることができる。
【００２２】
本発明の第１の態様にかかる貸金庫管理用プログラムは、金庫室に設置された複数の段（ｍ段）及び複数の列（ｎ列）を有する収納棚に収納された、段数及び列数からなる収納位置情報より収納位置が特定される複数（ｍ×ｎ個）の金庫箱の重量情報を管理して表示する処理をコンピュータに実行させる貸金庫管理用プログラムであって、（ａ）被格納物を格納した前記金庫箱の重量情報を取得する処理と、（ｂ）前記処理（ａ）によって取得した前記金庫箱の前記重量情報を、当該金庫箱の前記収納位置情報に対応付けて記憶部に記憶する処理と、（ｃ）前記処理（ｂ）によって前記記憶部に記憶された前記金庫箱の前記重量情報と、前記収納棚の同一列に収納されている前記金庫箱の総重量を表す列重量を前記収納棚の列毎に算出した各列の前記列重量とを、前記収納位置情報に基づいて、前記記憶部に記憶する処理と、（ｄ）前記処理（ｃ）によって前記記憶部に記憶された前記収納棚の各列の前記列重量を表示器に表示する処理と、を備えていることを特徴とする。
【００２３】
このような構成であれば、コンピュータによってプログラムが読み取られ、読み取られたプログラムによって、コンピュータが処理を実行すると、上述した本発明の第１の態様にかかる貸金庫システムと同等の効果が得られる。
【発明の効果】
【００２４】
本発明によれば、収納棚内に収納されている全ての金庫箱の重量を金庫箱の収納位置と対応付けて管理し、収納棚の重量の偏りを示す重量バランス情報を表示器に表示させて、システムの管理者に認識させることにより、例えば、利用対象となる新規の金庫箱を管理者が選択するときに、表示された金庫箱の重量分布及び収納棚の重量バランス情報から収納棚の重量バランスを良好に保持できる最適な収納位置にある金庫箱を管理者が選択することができる。また、収納棚内の金庫箱の収納位置の入替え作業時において、収納棚の重量バランスを良好に保持できるような収納位置に金庫箱を入れ替えるように管理者が指示することができる。
【００２５】
従って、収納棚の重量バランスを良好に保持して、収納棚の立設状態を安定化させることができるため、システム運用の安全性を向上させることができる。
【図面の簡単な説明】
【００２６】
【図１】本発明を適用可能な貸金庫システムの一例を説明するための全体概略構成図である。
【図２】閲覧テーブルの外観斜視図である。
【図３】閲覧テーブルの断面図である。
【図４】貸金庫システムのブロック構成図である。
【図５】重量表示処理を実現させる機能のブロック構成図である。
【図６】重量表示情報の１つの表示例を示した図である。
【図７】管理処理手順を説明するためのフローチャートの一例である。
【発明を実施するための形態】
【００２７】
この発明の一実施形態を、図面を参照しながら説明する。なお、以下に説明する実施形態は説明のためのものであり、本発明の範囲を制限するものではない。従って、当業者であればこれらの各要素もしくは全要素をこれと均等なもので置換した実施形態を採用することが可能であるが、これらの実施形態も本発明の範囲に含まれる。
【００２８】
まず、図１乃至図４を参照して、本発明を適用可能な貸金庫システムの全体概要を簡単に説明する。図１は、本発明を適用可能な貸金庫システムの一例を説明するための全体概略構成図である。図２は、図１に示す貸金庫システムの閲覧テーブルの一例を示す外観斜視図であり、図３は、図２に示す閲覧テーブル１７のシャッタ２０部分における縦断面図である。また、図４は、図１乃至図３に示す貸金庫システムのブロック構成図である。
【００２９】
図１乃至図４に示したように、貸金庫システム１０は、防盗・防火性に優れた金庫室１１と、金庫室１１とは物理的に隔離されており、利用者が貴重品（被格納物）の預入や引出を行う閲覧室１２と、貸金庫システム１０の運用管理をするコンピュータ２３を備えている。また、金庫室１１と閲覧室１２との間の金庫箱１３の搬送は、搬送機構によって実行される。
【００３０】
金庫室１１には、省スペースで多数の金庫箱１３を収納できるように、複数の段（ｍ段）及び複数の列（ｎ列）からなり、（ｍ×ｎ）個の金庫箱１３を収納可能な収納棚１４が複数個（ｋ個）設置され、各収納棚１４には、（ｍ×ｎ）個の金庫箱１３が収納されている。各金庫箱１３は、各収納棚１４の番号及び各収納棚において該金庫箱１３が配置されている段数及び列数によって収納位置が特定される。ここで、収納棚１４の同一段は矢印２６に示す横方向（水平方向）のことであり、同一列は矢印２５に示す縦方向（鉛直方向）のことである。図１の例では、金庫室１１には、１６段（ｍ＝１６）及び６列（ｎ＝６）のからなる（１６×６）個の金庫箱１３を収納している収納棚１４が２個（ｋ＝２：収納棚１４ａ及び１４ｂ）設置されている。
【００３１】
コンピュータ２３は、利用者を特定する利用者情報と、利用者が使用する金庫箱１３の収納位置を特定する収納位置情報と、を対応付けて管理する。
【００３２】
また、金庫室１１内の収納棚１４ａと収納棚１４ｂの間には、金庫箱１３を収納棚１４から取り出したり、収納棚１４に収納したりする搬送機構の一部であるスタッカクレーン１６が配置されている。また、コンピュータ２３からの命令に従って貸金庫システム１０を構成する各装置の動作制御を実行する動作制御装置１５も、金庫室１１内に配置されている。スタッカクレーン１６は、動作制御装置１５からの搬送指示に従って、指定された収納位置の金庫箱１３を収納棚１４から取り出したり、収納棚１４に収納したりする。
【００３３】
閲覧室１２のドア２７の近傍には、閲覧室１２への利用者の入室可否を確認するための認証装置２２が設置されている。認証装置２２で読み取られた情報は、コンピュータ２３に送信され、該情報に基づいてコンピュータ２３によって入室可否が判定され、判定された結果に基づいて、動作制御装置１５の制御によりドア２７の開閉が実行される。
【００３４】
また、閲覧室１２には、利用者が金庫箱１３の預入や取出しを行うための閲覧テーブル１７が備えられている。閲覧テーブル１７には、利用者の本人確認をするための認証装置１８、利用者が操作するタッチパネル１９、金庫箱１３の取出し口に設けられたシャッタ２０が設置されている。また、閲覧テーブル１７の内部には、金庫箱１３の重量を測定する重量センサ２１が設置されている。
【００３５】
認証装置１８で読み取られた情報に基づいて、コンピュータ２３によって利用者の利用操作可否が判定され、判定された結果に基づいて、タッチパネル１９による利用者の操作が許可される。タッチパネル１９より入力された情報(入力情報)は、コンピュータ２３に送信されて処理判定がなされ、入力情報に基づいた処理が実行される。
【００３６】
例えば、認証装置２２及び認証装置１８にて利用者確認を経た後、貴重品の預入や取出し要求がタッチパネル１９より入力されると、収納棚１４に収納されている金庫箱１３のうち、利用者の利用者情報に対応付けられた収納位置にある金庫箱１３がスタッカクレーン１６により収納棚１４から取り出され、搬送機構により金庫室１１から閲覧テーブル１７まで搬送され、シャッタ２０が開いて、利用者が貴重品を金庫箱１３に預入たり、金庫箱１３から取り出したりできる状態となる。
【００３７】
また、貴重品の預入や取出しの終了要求がタッチパネル１９より入力されると、シャッタ２０が閉じて、重量センサ２１によって金庫箱１３の重量が測定され、測定された重量情報はコンピュータ２３に送信される。その後、金庫箱１３は、搬送機構により閲覧テーブル１７から金庫室１１まで搬送され、スタッカクレーン１６により金庫箱１３に対応付けられた収納棚１３の収納位置に収納される。これらの一連の処理の動作は、コンピュータ２３からの命令に従って動作制御装置１５が、スタッカクレーン１６を含む搬送機構、シャッタ２０、及び重量センサ２１を制御して実行される。
【００３８】
コンピュータ２３は、このとき取得した重量情報に基づき、収納棚１４に収納されている金庫箱１３の各々の重量情報と、該金庫箱１３の収納位置情報とを対応付けて管理する。
【００３９】
また、コンピュータ２３には表示器２４が接続されており、表示器２４は、コンピュータ２３で重量表示処理された収納棚１４に収納されている金庫箱１３の２次元マトリクス重量分布や収納棚１４の重量バランスを評価するための重量バランス情報（例えば、列毎に合計された金庫箱１３の総重量である列重量など）などの重量表示情報を表示する。
【００４０】
貸金庫システム１０の管理者は、表示器２４に表示された収納棚１４に収納されている金庫箱１３のそれぞれの重量や収納棚１４の重量バランスを示す重量バランス情報を考慮して、利用者が新しい金庫箱１３を利用する場合に、未使用の金庫箱１３の中から収納棚１４の重量バランスを良好に保持できる金庫箱１３を選択したり、貸金庫システム１０の保守作業の一環である金庫箱１３の入替え作業における入替え対象となる金庫箱１３の選択をしたりすることができる。
【００４１】
尚、上述した貸金庫システム１０においては、重量センサ２１を閲覧テーブル１７の内部に設置しているが、閲覧テーブル１７から収納棚１４の間の搬送過程の途中で、金庫箱１３の重量を測定可能な場所であれば、どこの場所であっても良い。
【００４２】
次に、重量表示処理を実現させる機能についての詳細を説明する。図５は、重量表示処理を実現させる機能のブロック構成図である。なお、以下に説明する重量表示、利用状況管理、重量バランス情報の算出などの各種処理を行うための各部はコンピュータ２３により実現することができる。
【００４３】
図５に示すように、重量表示処理に関連するコンピュータ２３の機能として、本発明の利用状況管理部に対応する利用状況管理部３０、本発明の重量情報管理部に対応する重量情報管理部３１、本発明の重量バランス情報算出部に対応する重量バランス情報算出部３２、及び、本発明の表示制御部に対応する表示制御部３３を備えている。
【００４４】
記憶部３４には、金庫箱１３毎に、収納棚１４に収納される金庫箱１３の収納位置（段数及び列数）を示す収納位置情報が、金庫箱１３の識別番号に対応付けられて記憶されている。
【００４５】
利用状況管理部３０は、コンピュータ２３が備えるキーボードまたは外部接続されたカードリーダ等から入力（登録）された利用者情報と、コンピュータ２３が備えるキーボードやマウス等によって指定された収納棚１４内の未使用の金庫箱１３の収納位置情報とを対応付けて、コンピュータ２３の記憶部３４に記憶する。また、同時に、該収納位置情報に対応する利用情報を「使用済み」にセットして、コンピュータ２３の記憶部３４に記憶する。ここで、利用情報とは、収納棚１４の各収納位置に収納されている各金庫箱１３が利用登録されているものであるか否か、即ち、利用者に使用されている使用済みの金庫箱１３であるか、利用者に使用されていない未使用の金庫箱１３であるかを判定するための情報である。
【００４６】
また、利用登録されている利用者情報を解除する指示が入力されると、その利用者情報に対応付けられた金庫箱１３の収納位置情報をコンピュータ２３の記憶部３４より検索して、検索した該収納位置情報に対応する利用情報を「未使用」にセットして、コンピュータ２３の記憶部３４に記憶するとともに、該利用者情報を削除する。
【００４７】
重量情報管理部３１は、重量センサ２１によって測定された金庫箱１３の重量情報を取得し、取得した金庫箱１３の重量情報を金庫箱１３の収納位置情報と対応付けて、コンピュータ２３の記憶部３４に記憶する。ここで、記憶される金庫箱１３の重量情報は、金庫箱１３に格納されている貴重品の重量であっても、貴重品を含んだ金庫箱１３の全体の重量であっても良い。以降は、金庫箱１３に格納されている貴重品の重量を金庫箱１３の重量情報とした場合を例に挙げて説明する。
【００４８】
重量バランス情報算出部３２は、コンピュータ２３の記憶部３４に記憶された金庫箱１３の重量情報及び収納位置情報に基づいて、収納棚１４の重量バランスを評価するための重量バランス情報を算出し、記憶部３４に記憶する。ここで、収納棚１４の重量バランスとは、収納棚の立設状態の安定性を保持するための収納棚１４の段方向及び列方向の重量バランスのことである。従って、収納棚１４の重量バランスを評価するための重量バランス情報とは、例えば、収納棚１４の列毎の総重量、収納棚１４の段毎の総重量、所定の数の段及び列の区画毎の総重量等であり、収納棚１４を歪ませる要因となる重量の偏りを管理者等に客観的に教示させる情報である。以降は、重量バランス情報として、収納棚１４の列毎の総重量を示す列重量を例に挙げて説明する。
【００４９】
具体的に重量バランス情報算出部３２では、収納棚１４の同一列に収納されている金庫箱１３の重量の合計を列重量として、収納棚１４の全ての列について算出し、記憶部３４に記憶する。また、同一の収納棚１４内の全ての列重量の中から最大値となる最大列重量を検索し、最大列重量と列重量との差分の絶対値（列重量差分）を全ての列について算出し、記憶部３４に記憶する。
【００５０】
表示制御部３３は、コンピュータ２３の記憶部３４に記憶されている金庫箱１３の重量情報、収納位置情報及び利用情報に基づいて、収納棚１４の段及び列を２次元マトリクスの行及び列に対応させた、収納棚１４の各収納位置にある金庫箱１３が使用済みであるか未使用であるか、及び該金庫箱１３の重量を表す２次元マトリクス重量分布を、表示器２４に表示させるための重量分布表示情報を生成する。また、記憶部３４に記憶されている重量バランス情報（列重量及び列重量差分）に基づいて、表示器２４に表示させるための重量バランス表示情報を生成する。ここで、重量分布表示情報と重量バランス表示情報とをまとめて重量表示情報とする。表示制御部３３は、生成した重量表示情報を表示器２４に表示させる。
【００５１】
図６は、重量表示情報の１つの表示例を示した図である。図６に示すように、収納棚１４の段及び列を２次元マトリクスの行及び列に対応させた表の各セルに、対応する収納位置の各金庫箱１３の重量を表示したものを２次元マトリクス重量分布として表示する。また、この２次元マトリクスの表の各セルには、未使用の金庫箱１３であるか使用済みの金庫箱１３であるかを視覚的に判別できる情報が含まれており、２次元マトリクス重量分布の表示においては、未使用の金庫箱１３の重量が「０」と表示されるとともに、未使用の金庫箱１３の重量と使用済みの金庫箱１３の重量とが色分け表示されている。
【００５２】
また、２次元マトリクス重量分布の各列の下に、各列に対応する列重量を表示したものを、重量バランス情報として表示する。重量バランス表示情報には、予め設定してある重量基準値より大きい列重量となっている列を管理者に認識させるための色分け表示（重量オーバー警告表示）情報が含まれている。また、重量バランス表示情報には、予め設定してある差分基準値より大きい列重量差分となっている列を管理者に認識させるための色分け表示（重量バランス異常警告表示）情報も含まれている。ここで、重量基準値とは、収納棚１４の立設状態の安定性を保持するために、列重量が超えないほうが良い値である。また、差分基準値は、収納棚１４の重量の偏りがあるか否かを判断する値である。
【００５３】
従って、例えば、重量基準値として１００ｋｇを、差分基準値として３０ｋｇを、予め設定していた場合、図６に示すように、２列目の列重量が重量基準値を超えていることを警告するための色分け表示が２列目の列重量になされ、２列目に対して４列目の列重量差分が差分基準値を超えていて重量バランスが悪くなっていることを警告するための色分け表示が２列目と４列目の列重量になされる。この例では、重量基準値の超過警告表示が優先されるため、４列目の列重量のみに差分基準値の超過警告表示がなされている。
【００５４】
これにより、図６に示すような表示の場合、新規の利用者に対する管理者による金庫箱１３の選択において、さらなる重量バランスの悪化を防ぐために、２列目にある金庫箱１３を避け、４列目にある未使用の金庫箱１３を選択する参考にすることができる。
【００５５】
次に、重量表示情報を活用して、管理者が新規に金庫箱１３の利用登録を行うためのコンピュータ２３の管理処理手順について説明する。図７は、管理処理手順を説明するためのフローチャートの一例である。尚、貸金庫システム１０は、既に運用中であり、コンピュータ２３には、収納位置情報、１以上の利用者情報等が登録されているものとする。
【００５６】
図７に示すように、金庫箱１３を閲覧テーブル１７から金庫室１１へ搬入する際に、重量センサ２１によって金庫箱１３の重量を測定し、コンピュータ２３は、この測定された重量情報を取得し、取得した金庫箱１３の重量情報を金庫箱１３の収納位置情報に対応付けて、記憶部３４に記憶する（Ｓ１０１）。
【００５７】
次に、コンピュータ２３の記憶部３４に記憶された金庫箱１３の重量情報及び収納位置情報に基づいて、収納棚１４の重量バランスを評価するための重量バランス情報を算出し、記憶部３４に記憶する（Ｓ１０３、Ｓ１０５）。具体的には、収納棚１４の全ての列について列重量を算出し、記憶部３４に記憶する（Ｓ１０３）。次に、同一の収納棚１４内の全ての列重量の中から最大列重量を検索し、列重量差分を全ての列について算出し、記憶部３４に記憶する（Ｓ１０５）。上記ステップＳ１０１〜Ｓ１０５の処理は、金庫箱１３の重量測定が行なわれる度に行う。尚、ステップＳ１０３及びＳ１０５の処理については、下記ステップＳ１０７の後に行うようにしても良い。
【００５８】
管理者は、新たに金庫箱１３の利用登録を行う際、コンピュータ２３のキーボードやマウス等の操作手段を操作して、コンピュータ２３を登録モードに設定する（Ｓ１０７）。コンピュータ２３は、登録モードに設定されると、以下の重量表示情報の表示処理（Ｓ１０９〜Ｓ１１３）を実行する。
【００５９】
コンピュータ２３は、収納棚１４内の金庫箱１３の２次元マトリクス重量分布を、表示器２４に表示させるための重量分布表示情報を生成する（Ｓ１０９）。具体的には、収納棚１４の段及び列を２次元マトリクスの行及び列に対応させた、収納棚１４内の金庫箱１３の２次元マトリクス重量分布となるように表示情報を生成する（図６を参照）。また、未使用の金庫箱１３は、重量を「０」と表示されるように表示情報を生成するとともに、未使用の金庫箱１３の重量と使用済みの金庫箱１３の重量とを色分け表示されるように表示情報を生成する。
【００６０】
次に、表示器２４に重量バランスの偏りを示す情報を表示させるための重量バランス表示情報を生成する（Ｓ１１１）。具体的には、収納棚１４内の金庫箱１３の２次元マトリクス重量分布の各列の下に、列重量が表示されるように表示情報を生成する（図６を参照）。また、重量基準値以上の列重量、即ち、重量オーバーの列を検索して、検索した列の列重量を色分け表示されるように表示情報を生成する。また、差分基準値以上の列重量差分、即ち、重量に偏りのある列を検索して、検索した列の列重量を色分け表示されるように表示情報を生成する。
【００６１】
そして、生成した重量分布表示情報と重量バランス表示情報とからなる重量表示情報を表示器２４に表示させる（Ｓ１１３）。
【００６２】
管理者は、表示器２４に表示された重量表示情報を参考にして、新たに利用登録する金庫箱１３を選択する。具体的には、コンピュータ２３のキーボードやマウス等の操作手段を操作して、重量表示情報として表示される２次元マトリクスの表のうち未使用として表示されたセルを選択するとともに、登録する利用者に関する情報を入力する。
【００６３】
コンピュータ２３は、管理者による入力情報に基づき、金庫箱１３の利用登録を行う（Ｓ１１５）。具体的には、コンピュータ２３は、入力された利用者に関する情報から利用者情報を生成するとともに、選択されたセルに対応する収納位置情報を抽出して、この収納位置情報と利用者情報とを対応付けて記憶部３４に記憶する。また、この収納位置情報に対応する利用者情報を「使用済み」にセットする。このようにして、新規に金庫箱１３の利用登録を行った後、管理者はコンピュータ２３の登録モードを終了させ、通常の運用を再開させる。
【００６４】
上述したような貸金庫システム１０によれば、収納棚１４内に収納されている全ての金庫箱１３の重量を金庫箱１３の収納位置と対応付けた金庫箱１３の２次元マトリクス重量分布、及び、収納棚１４の重量バランスを評価するための重量バランス情報を表示器２４に表示させ、システムの管理者に重量バランスの状況等を認識させることができる。よって、利用対象となる新規の金庫箱１３を管理者が選択するときに、表示された金庫箱１３の２次元マトリクス重量分布及び収納棚１４の重量バランス情報から収納棚１４の重量バランスを良好に保持できる最適な金庫箱１３を管理者が選択することができる。また、収納棚１４内の金庫箱１３の収納位置の入替え作業時において、収納棚１４の重量バランスを良好に保持できるような収納位置に金庫箱１３を入れ替えるように管理者が指示することができる。
【００６５】
従って、収納棚１４の重量バランスを良好に保持して、収納棚１４の立設状態を安定化させることができるため、システム運用の安全性を向上させることができる。
【符号の説明】
【００６６】
１０    貸金庫システム
１１    金庫室
１２    閲覧室
１３    金庫箱
１４    収納棚
１５    動作制御装置
１６    タッカクレーン
１７    閲覧テーブル
１８、２２    認証装置
２１    重量センサ
２３    コンピュータ
２４    表示器
３０    利用状況管理部
３１    重量情報管理部
３２    重量バランス情報算出部
３３    表示制御部
【図１】
2010159570.tif 000003
【図２】
2010159570.tif 000004
【図３】
2010159570.tif 000005
【図４】
2010159570.tif 000006
【図５】
2010159570.tif 000007
【図６】
2010159570.tif 000008
【図７】
2010159570.tif 000009